(57)【要約】      （修正有）【課題】開け口の開閉が容易で、開け口を大きく開けることができ、その状態を保持できる、弁当の出し入れが容易なランチ用バッグを提供する。【解決手段】少なくとも弁当を平らに載置できる大きさの底面部２と、この底面部を囲む側面部３をもち、上面の開口部を開閉可能な開け口４とし、側面部３に提げ部５を取り付けた、弁当を入れて携行できるバッグであって、開け口４の対応周縁部６Ａに開け口を開閉可能とするスライドファスナー７を装着し、対応周縁部の縁部形状を保持するワイヤの縁部芯材８を対応周縁部の中に装着した。また底面部と側面部の内面を保冷シート材で形成し、側面部の内面側に保冷剤を収納できるネット状のポケット部１１を取り付けた。【選択図】図１
0003184606.tif 000002
【実用新案登録請求の範囲】
【請求項１】
少なくとも弁当を平らに載置できる大きさの底面部と、この底面部を囲む柔軟素材から成る側面部をもち、上面の開口部を開閉可能な開け口とし、前記側面部に提げ部を取り付けた、弁当を入れて携行できるバッグであって、前記開け口の開口周縁部を閉じた状態で互いに一致する左右対称の対応周縁部に区分けし、この対応周縁部に沿って前記開け口を開閉可能とするスライドファスナーをそれぞれ装着し、前記対応周縁部の縁部形状を保持するために該縁部形状に沿って屈曲形成した硬い縁部芯材を前記対応周縁部に沿って該対応周縁部の縁部の中に入れて装着したことを特徴とするランチ用バッグ。
【請求項２】
少なくとも弁当を平らに載置できる大きさの略矩形状の底面部と、この底面部を囲む柔軟素材から成る四面の側面部をもち、この四面の側面部が対向する一対の主側面部とマチとしても働く対向する一対の従側面部から成り、前記底面部と略同形の略矩形状に開口された上面の開口部を開閉可能な開け口とし、前記主側面部に提げ部を取り付けた、弁当を入れて携行できるバッグであって、前記開け口の略矩形枠状の開口周縁部を閉じた状態で互いに一致する前記従側面部の中心位置を基準にして左右対称となる略コ字状の対応周縁部に区分けし、この略コ字状の対応周縁部に沿って前記開け口を開閉可能とするスライドファスナーをそれぞれ装着し、前記対応周縁部の略コ字状の縁部形状を保持するために該縁部形状に沿って略コ字形状に屈曲形成した硬い縁部芯材を前記対応周縁部に沿って該対応周縁部の縁部の中に入れて装着したことを特徴とするランチ用バッグ。
【請求項３】
前記縁部芯材がワイヤ芯材である請求項１又は２に記載のランチ用バッグ。
【請求項４】
前記縁部芯材の装着が、前記側面部を形成する外面と内面のシート材を対応周縁部に沿って縫着した二本の縫着線で囲まれ、外面と内面のシート材で挟まれた芯材挿入部の中に入れて装着したことを特徴とする請求項１又は２に記載のランチ用バッグ。
【請求項５】
前記底面部と側面部の内面を保冷シート材で形成した請求項１又は２に記載のランチ用バッグ。
【請求項６】
前記側面部の内面側に保冷剤を収納できるネット状のポケット部を取り付けた請求項１又は２に記載のランチ用バッグ。
【考案の詳細な説明】
【技術分野】
【０００１】
本考案は、バッグであり、特に弁当などのランチ用の物品を入れて携行するのに好適なランチ用バッグに関する。
【背景技術】
【０００２】
弁当などのランチ用の物品を入れて携行するランチ用バッグとしては、弁当を平らに載置できる大きさの底面部と、この底面部を囲む布製の側面部をもち、上面を開閉可能な開け口とし、この開け口を巾着ひもで開閉するバッグ（巾着式ランチ用バッグと言うことがある。）がある。
【０００３】
しかし、この巾着式ランチ用バッグは、巾着ひもによる開け口の開閉が面倒であり、しかも開け口を大きく開けた状態に保持できないため、弁当などのランチ用の物品の出し入れが困難であった。また、保冷や保温効果も優れたものではなかった。
【考案の概要】
【考案が解決しようとする課題】
【０００４】
本考案は、このような実情に鑑み、弁当などのランチ用の物品を入れて携行するのに最適なランチ用バッグを提供することを課題とし、バッグの開け口の開閉が容易であり、しかもバッグの開け口を大きく開けることができ、開け口を大きく開けた状態に保持できるようにして、弁当などのランチ用の物品の出し入れを容易にできるようにし、さらにバッグ内に入れた弁当の保冷や保温効果に優れたバッグを提供することを課題とする。
【課題を解決するための手段】
【０００５】
かかる課題を解決するため、本考案（請求項１の考案）は、少なくとも弁当を平らに載置できる大きさの底面部と、この底面部を囲む柔軟素材から成る側面部をもち、上面の開口部を開閉可能な開け口とし、前記側面部に提げ部を取り付けた、弁当を入れて携行できるバッグであって、前記開け口の開口周縁部を閉じた状態で互いに一致する左右対称の対応周縁部に区分けし、この対応周縁部に沿って前記開け口を開閉可能とするスライドファスナーをそれぞれ装着し、前記対応周縁部の縁部形状を保持するために該縁部形状に沿って屈曲形成した硬い縁部芯材を前記対応周縁部に沿って該対応周縁部の縁部の中に入れて装着したことを特徴とするランチ用バッグを提供する。
【０００６】
また、かかる課題を解決するため、本考案（請求項２の考案）は、少なくとも弁当を平らに載置できる大きさの略矩形状の底面部と、この底面部を囲む柔軟素材から成る四面の側面部をもち、この四面の側面部が対向する一対の主側面部とマチとしても働く対向する一対の従側面部から成り、前記底面部と略同形の略矩形状に開口された上面の開口部を開閉可能な開け口とし、前記主側面部に提げ部を取り付けた、弁当を入れて携行できるバッグであって、前記開け口の略矩形枠状の開口周縁部を閉じた状態で互いに一致する前記従側面部の中心位置を基準にして左右対称となる略コ字状の対応周縁部に区分けし、この略コ字状の対応周縁部に沿って前記開け口を開閉可能とするスライドファスナーをそれぞれ装着し、前記対応周縁部の略コ字状の縁部形状を保持するために該縁部形状に沿って略コ字形状に屈曲形成した硬い縁部芯材を前記対応周縁部に沿って該対応周縁部の縁部の中に入れて装着したことを特徴とするランチ用バッグを提供する。
【０００７】
本考案（請求項１、２の考案）のランチ用バッグによれば、スライドファスナーの開閉で開け口を開閉できるため開け口の開閉が容易であり、スライドファスナーを開けて開け口を開ける際、開け口の対応周縁部に沿って入れた縁部芯材の働きによって、対応周縁部の縁部形状を保持（請求項２の考案は略コ字状に保持）できるため、開け口を大きく開けることができ、しかも開け口を大きく開けた状態に保持でき、弁当などのランチ用の物品の出し入れが極めて容易である。
【０００８】
また、本考案（請求項３の考案）のランチ用バッグは、前記縁部芯材をワイヤ芯材で形成したことを特徴としている。
【０００９】
また、本考案（請求項４の考案）のランチ用バッグは、前記縁部芯材の装着が、前記側面部を形成する外面と内面のシート材を対応周縁部に沿って縫着した二本の縫着線で囲まれ、外面と内面のシート材で挟まれた芯材挿入部の中に入れて装着したことを特徴としている。
【００１０】
また、本考案（請求項５の考案）のランチ用バッグは、前記底面部と側面部の内面を保冷シート材（保温シート材としても機能する。）で形成し、この保冷シート材を厚めのポリウレタンアルミニュームとしたことを特徴としている。このランチ用バッグによれば、スライドファスナーで開け口を開閉するためバッグ内の密閉性が高く、しかもバッグの内面を保冷シート材で形成してあるため、閉じたバッグ内の保冷効果を高くできる。
【００１１】
また、本考案（請求項６の考案）のランチ用バッグは、前記側面部の内面側に保冷剤を収納できるネット状のポケット部を取り付けたことを特徴としている。このランチ用バッグによれば、スライドファスナーで開け口を開閉するためバッグ内の密閉性が高く、しかもバッグ内のネット状のポケット部に保冷剤を入れることができるため、閉じたバッグ内の保冷効果を高くできる。
【考案の効果】
【００１２】
本考案のランチ用バッグによれば、バッグの開け口の開閉が容易であり、しかもバッグの開け口を開ける際、開け口を大きく開けることができ、開け口を大きく開けた状態に保持できるため、弁当などのランチ用の物品の出し入れが容易である。さらにバッグ内に入れた弁当の保冷効果や保温効果に優れたバッグを提供できる。よって、弁当などのランチ用の物品を入れて携行するのに最適なバッグを提供できる。
【図面の簡単な説明】
【００１３】
【図１】本考案のランチ用バッグの開け口を開けた状態の斜面図である。
【図２】本考案のランチ用バッグの開け口を閉じた状態の斜面図である。
【考案を実施するための形態】
【００１４】
本考案に係わるランチ用バッグの実施形態を図面に基づき説明する。図１はバッグの開け口を開けた状態、図２はバッグの開け口を閉じた状態を示している。図１、２に示したように、本考案のランチ用バッグ１は、少なくとも弁当Ｌ（弁当箱）を平らに載置できる大きさの略矩形状（略長方形状）の柔軟素材から成る底面部２と、この底面部２を囲む柔軟素材から成る四面の側面部３をもち、この四面の側面部３が対向する一対の主側面部３Ａとマチとしても働く対向する一対の従側面部３Ｂから成り、前記底面部２と略同形の略矩形状に開口された上面の開口部を開閉可能な開け口４とし、一対の主側面部３Ａに対の手提げ用の提げ部５を取り付けた、弁当Ｌ（弁当箱）を入れて携行できるバッグであって、前記開け口４の略矩形枠状の開口周縁部６を閉じた状態で互いに一致する前記従側面部３Ｂの中心位置を基準にして左右対称となる略コ字状の対応周縁部６Ａ，６Ａに区分けし、この略コ字状の対応周縁部６Ａ，６Ａに沿って前記開け口４を開閉可能とするスライドファスナー７（両端の二方向から開閉できるスライドファスナー）をそれぞれ装着し、前記対応周縁部６Ａ，６Ａの略コ字状の縁部形状を保持するために該縁部形状に沿って略コ字形状に屈曲形成した硬い縁部芯材（図示の実施例はワイヤ芯材とし、このワイヤ芯材を太めの破線で図示してある。）８，８を前記対応周縁部６Ａ，６Ａに沿って該対応周縁部の縁部の中に入れて装着し、この縁部芯材（ワイヤ芯材）８の装着が、前記側面部３を形成する外面と内面のシート材を略コ字状の対応周縁部６Ａに沿って縫着した二本の縫着線で囲まれ、外面と内面のシート材で挟まれた芯材挿入部９の中に入れて装着したことを特徴としている。
【００１５】
このランチ用バッグ１によれば、スライドファスナー７の開閉で開け口４を開閉できるため開け口４の開閉が容易であり、スライドファスナー７を開けて開け口４を開ける際、開け口４の対応周縁部６Ａ，６Ａに沿って入れた縁部芯材（ワイヤ芯材）８，８の働きによって、対応周縁部６Ａ，６Ａの縁部形状を略コ字状に保持できるため、開け口４を大きく開けることができ、しかも開け口４を大きく開けた状態に保持でき、弁当などのランチ用の物品の出し入れが極めて容易である。
【００１６】
図１に示したランチ用バッグ１は、弁当Ｌ（弁当箱）を平らに載置する底面部２を略矩形状（略長方形状）に形成し、開け口４も底面部２と略同形の略矩形状（略長方形状）に開口されるように構成してあるが、この形状に限定されるものではなく、例えば底面部２を楕円形状とし、開け口４も底面部と同形な楕円状に開口されるように構成しても良い。ちなみに、図示した実施例のランチ用バッグ１は、開け口４を開けた図１の状態において、主側面部３Ａの幅を２２ｃｍ、従側面部３Ｂの幅を１２ｃｍ、側面部３の高さを１６ｃｍに形成してある。もちろん、このサイズは前記したサイズに限定されるものではなく、バッグ内に入れる弁当（弁当箱）に応じて、これより大きめ、又はこれより小さめのサイズに形成しても良い。
【００１７】
図１に示したように、スライドファスナー７で開閉されるバッグの開け口４を広くするため、このスライドファスナー７の両端部を対応周縁部６Ａ，６Ａの両端より外側にはみ出した状態に延ばして装着すると共に、各対応周縁部６Ａ，６Ａ両端位置に対応する側面部３（従側面部３Ｂの中心位置）の上端部に上端側を開けた切り込みスリット１０を入れてある。
【００１８】
前記底面部２と側面部３（主側面部３Ａと従側面部３Ｂ）の外面を好ましくは合成繊維（例えばポリエステル繊維）で形成し、前記底面部２と側面部３（主側面部３Ａと従側面部３Ｂ）の内面を柔軟な保冷シート材（保温シート材としても機能する。）で形成し、この保冷シート材としてこの実施例では厚めの柔軟なポリウレタンアルミニュームを用いている。このランチ用バッグ１によれば、スライドファスナー７で開け口４を開閉するためバッグ内の密閉性が高く、しかもバッグの内面を保冷シート材（厚めの柔軟なポリウレタンアルミニューム）で形成してあるため、閉じたバッグ内の保冷効果や保温効果を高くできる。
【００１９】
図１に示したように、前記側面部３（主側面部３Ａ）の内面側に保冷剤（図示せず）を収納できる上方が開放されたネット状のポケット部１１を縫着して取り付けてある。このランチ用バッグ１によれば、スライドファスナー７で開け口４を開閉するためバッグ内の密閉性が高く、しかもバッグ内のネット状のポケット部１１に保冷剤を入れることができるため、閉じたバッグ内の保冷効果を高くできる。
【符号の説明】
【００２０】
１  ランチ用バッグ
Ｌ  弁当
２  底面部
３  側面部
３Ａ  主側面部
３Ｂ  従側面部
４  開け口
５  提げ部（手提げ用の提げ部）
６  開口周縁部
６Ａ，６Ａ  対応周縁部
７  スライドファスナー
８  縁部芯材（ワイヤ芯材）
９  芯材挿入部
１１  ポケット部
【図１】
0003184606.tif 000003
【図２】
0003184606.tif 000004